(57)【特許請求の範囲】
【請求項１】
無電源状態で画像を表示保持する表示記録媒体の識別情報を受信する受信手段と、
前記受信手段により受信された識別情報に対応付けられたアイコンの画像データに基づいてアイコンを表示するとともに、当該アイコンがユーザによって指示されたことを検出する表示手段と、
前記表示手段によりアイコンがユーザによって指示されたことが検出された場合に、当該アイコンを表す画像データに対応付けられた所定の処理を実行する処理実行手段と
を有する画像書込装置。
【請求項２】
無電源状態で画像を表示保持する表示記録媒体と、画像書込装置と、サーバとからなる画像書込システムであって、
前記画像書込装置は、
前記表示記録媒体の識別情報を受信する第１の受信手段と、
前記第１の受信手段により受信された識別情報を前記サーバに送信し、前記サーバから前記識別情報に対応付けられたアイコンの画像データを受信する通信手段と、
前記通信手段により前記サーバから受信された前記アイコンの画像データに基づいてアイコンを表示するとともに、当該アイコンがユーザによって指示されたことを検出する表示手段と、
前記表示手段によりアイコンがユーザによって指示されたことが検出された場合に、当該アイコンを表す画像データに対応付けられた処理の実行要求を前記サーバに送信する送信手段と
を有し、
前記サーバは、
前記画像書込装置から前記表示記録媒体の識別情報を受信する第２の受信手段と、
前記第２の受信手段により受信された識別情報に対応付けられたアイコンの画像データを特定する特定手段と、
前記特定手段により特定されたアイコンの画像データを前記画像書込装置に送信する送信手段と、
前記画像書込装置からアイコンを表す画像データに対応付けられた処理の実行要求を受信する第３の受信手段と、
前記第３の受信手段により受信された実行要求により要求された処理を実行する処理実行手段と
を有する画像書込システム。
【発明の詳細な説明】
【技術分野】
【０００１】
本発明は、画像書込装置および画像書込システムに関する。
【背景技術】
【０００２】
特許文献１には、複数の電子ペーパーを画像表示媒体に用いた電子アルバムが開示されている。この電子アルバムでは、画像表示媒体に用いられる電子ペーパーの表面に透明感圧シートが貼られ、入力タッチペンによって所望の画像を指定することができる。この電子アルバムでは、入力タッチペンによって電子ペーパーに表示された画像の処理（例えば、コピー、拡大縮小、回転）を指定することが可能となっており、入力タッチペンによって所望の画像が指定された後に、いずれかの処理が指定されると、当該処理が指定された画像に対して実行される。
【特許文献１】特開２００２−５５６５１号公報
【発明の開示】
【発明が解決しようとする課題】
【０００３】
本発明は、電子ペーパーごとに、画像に対する処理を表すアイコンを設定、表示可能な画像書込装置および画像書込システムを提供することを目的とする。
【課題を解決するための手段】
【０００４】
上記の課題を解決するために本発明は、一実施形態として、無電源状態で画像を表示保持する表示記録媒体の識別情報を受信する受信手段と、前記受信手段により受信された識別情報に対応付けられたアイコンの画像データに基づいてアイコンを表示するとともに、当該アイコンがユーザによって指示されたことを検出する表示手段と、前記表示手段によりアイコンがユーザによって指示されたことが検出された場合に、当該アイコンを表す画像データに対応付けられた所定の処理を実行する処理実行手段とを有する画像書込装置を提供する。
【０００５】
本発明はまた、一実施形態として、無電源状態で画像を表示保持する表示記録媒体と、画像書込装置と、サーバとからなる画像書込システムであって、前記画像書込装置は、前記表示記録媒体の識別情報を受信する第１の受信手段と、前記第１の受信手段により受信された識別情報を前記サーバに送信し、前記サーバから前記識別情報に対応付けられたアイコンの画像データを受信する通信手段と、前記通信手段により前記サーバから受信された前記アイコンの画像データに基づいてアイコンを表示するとともに、当該アイコンがユーザによって指示されたことを検出する表示手段と、前記表示手段によりアイコンがユーザによって指示されたことが検出された場合に、当該アイコンを表す画像データに対応付けられた処理の実行要求を前記サーバに送信する送信手段とを有し、前記サーバは、前記画像書込装置から前記表示記録媒体の識別情報を受信する第２の受信手段と、前記第２の受信手段により受信された識別情報に対応付けられたアイコンの画像データを特定する特定手段と、前記特定手段により特定されたアイコンの画像データを前記画像書込装置に送信する送信手段と、前記画像書込装置からアイコンを表す画像データに対応付けられた処理の実行要求を受信する第３の受信手段と、前記第３の受信手段により受信された実行要求により要求された処理を実行する処理実行手段とを有する画像書込システムを提供する。
【発明の効果】
【０００６】
本発明は、電子ペーパーごとに、画像に対する処理を表すアイコンを設定、表示可能な画像書込装置の提供を可能とする。
【発明を実施するための最良の形態】
【０００７】
以下、図面を参照して本発明の実施形態について説明する。
（１）第１実施形態
（１−１）構成
図１は、本実施形態に係る画像書込システムの概観図を示す図である。同図に示されるように、この画像書込システムは、画像書込装置１と、電子ペーパー２と、タッチペン３とにより構成されている。
画像書込装置１は、ヒンジ４により開閉可能に結合された上部本体５と下部本体６からなり、電子ペーパー２に着脱自在に装着することができる。図２は、画像書込装置１を開いた様子を示す図である。
上部本体５には、後述するタッチパネル１２が設けられている。
【０００８】
図３は、画像書込装置１の構成を示すブロック図である。同図に示されるように、画像書込装置１は、制御部１０と、記憶部１１と、タッチパネル１２と、信号伝送層１３と、電力伝送層１４と、バス１５とにより構成されている。
制御部１０は、ＣＰＵ（Central Processing Unit）、ＲＯＭ（Read Only Memory）およびＲＡＭ（Random Access Memory）により構成されている。ＣＰＵは、ＲＯＭに記憶されている画像書込プログラムを読み出して実行することにより、後述する画像書込処理を画像書込装置１に実行させる。ＲＡＭは、ＣＰＵがプログラムを実行するためのワークエリアとして利用される。
記憶部１１は、フラッシュメモリやＨＤＤ（Hard Disk Drive）等の記憶装置であり、電子ペーパー２に表示させるための画像のデータや、処理テーブル１１０を記憶する。
処理テーブル１１０は、図４に示されるように、電子ペーパーごとに割り当てられる媒体識別情報ＭＩＤに対応付けて、電子ペーパーに表示される画像に関する処理内容と、当該処理内容を表すアイコンの画像データとを記憶するためのテーブルである。ここで、電子ペーパーに表示される画像に関する処理とは、具体的には、「画像書込」や、「ページ送り（戻り）」や、「コピー」や、「プリントアウト」や、「拡大（縮小）」等の処理を指す。
タッチパネル１２は、ディスプレイとマトリックススイッチを組み合わせた装置であり、指やタッチペン３により画面上の表示を押下されることにより所望の指示を受け付ける装置である。画面への接触を感知する方式としては、マトリックススイッチの他に、抵抗線方式や、静電容量方式を適用してもよい。
信号伝送層１３は、少なくとも１つの送信コイル１３０を備えており、送信コイル１３０に電流を流すことによって磁界を発生させ、後述する電子ペーパー２の信号受信層２３が備える受信コイル２３０との間で磁界結合を形成して、データの通信を行う。
電力伝送層１４は、少なくとも１つの給電コイル１４０を備えており、給電コイル１４０に電流を流すことによって磁界を発生させ、後述する電子ペーパー２の電力受信層２４が備える受電コイル２４０との間で磁界結合を形成して、電力の供給を行う。
【０００９】
電子ペーパー２は、例えばＡ４版の用紙のような大きさのフレキシブルな薄型の表示装置である。表示内容を電気的に書き換えることが可能であり、表示した画像を無電源状態で表示保持することもできる。
図５は、電子ペーパー２の構成を示すブロック図である。同図に示されるように、電子ペーパー２は、制御部２０と、記憶部２１と、表示部２２と、信号受信層２３と、電力受信層２４と、バス２５とにより構成されている。
制御部２０は、ＣＰＵ、ＲＯＭおよびＲＡＭにより構成されている。ＣＰＵは、ＲＯＭに記憶されている画像表示プログラムを読み出して実行することにより、後述する画像表示処理を電子ペーパー２に実行させる。ＲＡＭは、ＣＰＵがプログラムを実行するためのワークエリアとして利用される。
記憶部２１は、ＳＲＡＭ（Static Random Access Memory）等の記憶装置であり、後述する表示部２２に表示するための画像のデータや、電子ペーパー２に割り当てられた媒体識別情報ＭＩＤを記憶する。
表示部２２は、例えば矩形の表示領域を有し、記憶部２１に記憶された画像データに基づいて画像を表示する。この表示部２２の表示方式には、マイクロカプセル方式や、電子粉流体方式や、液晶方式等が採用される。
表示部２２の表面には、２次元的に配置された透明感圧素子を備える透明感圧シートが貼られ、指やタッチペン３によって指定された画像を検出することができる。
信号受電層２３は、少なくとも１つの受信コイル２３０を備えており、受信コイル２３０に電流を流すことによって磁界を発生させ、上述の画像書込装置１の信号伝送層１３が備える送信コイル１３０との間で磁界結合を形成して、データの通信を行う。
電力受信層２４は、少なくとも１つの受電コイル２４０を備えており、受電コイル２４０に電流を流すことによって磁界を発生させ、上述の画像書込装置１の電力伝送層１４が備える給電コイル１４０との間で磁界結合を形成して、電力の供給を受ける。
【００１０】
タッチペン３は、画像書込装置１のタッチパネル１２に表示されるアイコンや、電子ペーパー２に表示される画像を指定するためのポインティングデバイスである。
【００１１】
（１−２）動作
図６は、本実施形態に係る画像書込システムの動作のフローチャートである。
画像書込装置１を用いて電子ペーパー２に画像を書き込む場合には、まず、図１に示されるように画像書込装置１を電子ペーパー２に取り付ける。具体的には、画像書込装置１の上部本体５が上側になるようにして下部本体６を開き、電子ペーパー２に横方向から挿入して、下部本体６を閉じる。その際、電子ペーパー２の信号受信層２３と電力受信層２４と画像書込装置１の信号伝送層１３と電力受信層１４がそれぞれ対向するように画像書込装置１の位置決めを行う。
この状態で画像書込装置１の電源が入力されると、画像書込装置１の制御部１０は、電力伝送層１４が備える給電コイル１４０に電流を流し、電子ペーパー２の電力受信層２４が備える受電コイル２４０との間で磁界結合を形成して、電力を供給する（ステップＳ１）。
画像書込装置１の制御部１０は、また、信号伝送層１３が備える送信コイル１３０に電流を流して、電子ペーパー２の信号受信層２３が備える受信コイル２３０との間で磁界結合を形成して、媒体識別情報ＭＩＤを送信するよう電子ペーパー２に要求する（ステップＳ２）。電子ペーパー２の制御部２０は、この要求を受けて、記憶部２１から媒体識別情報ＭＩＤを読み出し、受信コイル２３０を介して画像書込装置１に送信する（ステップＳ３）。画像書込装置１の制御部１０は、送信コイル１３０を介して媒体識別情報ＭＩＤを受信すると、当該識別情報と対応付けられて処理テーブル１１０に記憶されているアイコンの画像データを読み出す（ステップＳ４）。そして、制御部１０は、読み出した画像データに基づいてタッチパネル１２にアイコンを表示させる（ステップＳ５）。
タッチパネル１２に表示されたアイコンが指またはタッチペン３により押下されたことが検出されると（ステップＳ６；ＹＥＳ）、制御部１０は、当該アイコンに対応付けられた処理内容を処理テーブル１１０から読み出し（ステップＳ７）、当該処理を実行する（ステップＳ８）。
例えば、指によって「画像書込」を表すアイコンが押下された場合には、制御部１０は、記憶部１１に記憶された画像データを電子ペーパー２に送信して、電子ペーパー２の表示部２２に当該画像データに基づく画像を表示させる。
また、例えば、タッチペン３によって「ページ送り」を表すアイコンが押下された場合には、制御部１０は、現在電子ペーパー２の表示部２２に表示されている画像の次に表示すべき画像のデータを記憶部１１から読み出して電子ペーパー２に送信し、電子ペーパー２の表示部２２に当該画像データに基づく画像を表示させる。
また、例えば、タッチペン３によって電子ペーパー２の表示部２２に表示されている一部の画像が指定された上で「拡大」を表すアイコンが押下された場合には、制御部１０は、当該一部の画像のデータを電子ペーパー２から受信して拡大処理し、当該拡大処理された画像データを電子ペーパー２に送信して、電子ペーパー２の表示部２２に当該画像データに基づく画像を表示させる。
【００１２】
（２）第２実施形態
（２−１）構成
図７は、本実施形態に係る画像書込システムの概観図を示す図である。同図に示されるように、この画像書込システムは、画像書込装置１´と、電子ペーパー２と、タッチペン３と、サーバ７により構成されており、第１実施形態に係る画像書込システムとは、画像書込装置が置き換わっている点と、サーバ７が追加されている点で異なっている。しかし、電子ペーパー２と、タッチペン３については変更がないため、これらについての説明は省略する。
【００１３】
図８は、画像書込装置１´の構成を示すブロック図である。同図に示されるように、この画像書込装置１´は、制御部１０と、記憶部１１と、タッチパネル１２と、信号伝送層１３と、電力伝送層１４と、バス１５と、無線通信部１６とにより構成されている。この構成は、無線通信部１６を備えている点を除いて第１実施形態に係る画像書込装置１の構成と同じであるため、無線通信部１６以外の構成要素の説明については省略する。
無線通信部１６は、アンテナを備え、サーバ７との間でＢｌｕｅｔｏｏｔｈ（登録商標）や、無線ＬＡＮ（Local Area Network）等の規格に準拠した無線通信を行う。
なお、本実施形態に係る画像書込装置１´では、第１実施形態に係る画像書込装置１と異なり、記憶部１１に処理テーブル１１０が記憶されていない。
【００１４】
図９は、サーバ７の構成を示すブロック図である。同図に示されるように、このサーバ７は、制御部７０と、記憶部７１と、無線通信部７２と、バス７３とにより構成されている。
制御部７０は、ＣＰＵ、ＲＯＭおよびＲＡＭにより構成されている。ＣＰＵは、ＲＯＭに記憶されている画像書込プログラムを読み出して実行することにより、後述する画像書込処理をサーバ７に実行させる。ＲＡＭは、ＣＰＵがプログラムを実行するためのワークエリアとして利用される。
記憶部７１は、ＨＤＤ等の記憶装置であり、電子ペーパー２に表示させるための画像のデータや、処理テーブル７１０を記憶する。処理テーブル７１０に記憶される内容は、第１実施形態に係る処理テーブル１１０と同じである。
無線通信部７２は、アンテナを備え、画像書込装置１´との間でＢｌｕｅｔｏｏｔｈ（登録商標）や、無線ＬＡＮ等の規格に準拠した無線通信を行う。
【００１５】
（２−２）動作
図１０は、本実施形態に係る画像書込システムの動作のフローチャートである。本動作を構成するステップＳ１〜Ｓ３の処理は、第１実施形態に係るステップＳ１〜Ｓ３の処理と同じであるため、これらの処理の説明については省略する。
ステップＳ３の処理の結果、画像書込装置１´の制御部１０が、送信コイル１３０を介して媒体識別情報ＭＩＤを受信すると、当該識別情報を無線通信部１６を介してサーバ７に送信する。サーバ７の制御部７０は、無線通信部７２を介してこの媒体識別情報ＭＩＤを受信すると、当該識別情報と対応付けられて処理テーブル７１０に記憶されているアイコンの画像データを読み出す。そして、制御部７０は、無線通信部７２を介してこのアイコンの画像データを画像書込装置１´に送信する。画像書込装置１´の制御部１０は、このアイコンの画像データを無線通信部１６を介して受信すると、当該画像データに基づいてタッチパネル１２にアイコンを表示させる。
タッチパネル１２に表示されたアイコンが指またはタッチペン３により押下されたことが検出されると、画像書込装置１´の制御部１０は、当該アイコンに対応付けられた処理を実行するようサーバ７に要求する。サーバ７の制御部７０は、この要求を受けて、前記アイコンに対応付けられた処理内容を処理テーブル７１０から読み出し、当該処理を実行する。
例えば、指によって「画像書込」を表すアイコンが押下された場合には、制御部７０は、記憶部７１に記憶された画像データを画像書込装置１´に送信する。画像データを受信した画像書込装置１´の制御部１０は、当該画像データを電子ペーパー２に送信して、電子ペーパー２の表示部２２に当該画像データに基づく画像を表示させる。
また、例えば、タッチペン３によって「ページ送り」を表すアイコンが押下された場合には、制御部７０は、現在電子ペーパー２の表示部２２に表示されている画像の次に表示すべき画像のデータを記憶部７１から読み出して画像書込装置１´に送信する。画像データを受信した画像書込装置１´の制御部１０は、当該画像データを電子ペーパー２に送信して、電子ペーパー２の表示部２２に当該画像データに基づく画像を表示させる。
また、例えば、タッチペン３によって電子ペーパー２の表示部２２に表示されている一部の画像が指定された上で「拡大」を表すアイコンが押下された場合には、制御部７０は、当該一部の画像のデータを画像書込装置１´を介して電子ペーパー２から受信して拡大処理し、当該拡大処理された画像データを画像書込装置１´に送信する。画像データを受信した画像書込装置１´の制御部１０は、当該画像データを電子ペーパー２に送信して、電子ペーパー２の表示部２２に当該画像データに基づく画像を表示させる。
【００１６】
（３）変形例
（３−１）変形例１
上述の実施形態において、画像書込装置１および１´は、ヒンジを用いた挟持手段以外の手段を用いて電子ペーパー２に取り付けられてもよい。例えば、両面粘着テープや、フックとループを組み合わせたファスナ等を用いて取り付けられてもよい。
【００１７】
（３−２）変形例２
上述の実施形態において、画像書込装置１および１´のタッチパネル１２に表示されるオブジェクトは、画像に関する処理内容を表すアイコン以外であってもよい。例えば、所定の処理に用いられるデータを表すアイコンであってもよいし、指やタッチペン３によって指定可能なものであれば、単なる文字や、数字や、記号であってもよい。
【００１８】
（３−３）変形例３
上述の実施形態において、画像書込装置１および１´と電子ペーパー２との間で行われる電力供給とデータ通信は、両装置に備えられたコイル以外の手段を用いて行われてもよい。例えば、画像書込装置１および１´と電子ペーパー２の両装置に接続端子を設け、両装置の接続端子を直接接触されることによって電力の供給やデータの通信を行ってもよい。この場合、画像書込装置１および１´側の接続端子は、上部本体５の電子ペーパー２に接する側に露出するように設けられ、電子ペーパー２側の接続端子は、画像書込装置１および１´の接続端子と接触可能なように電子ペーパー２の辺部に設けられることになる。
【００１９】
（３−４）変形例４
上述の第２実施形態において、サーバ７だけでなく、画像書込装置１´も処理テーブルを記憶部１１に記憶しておいてもよい。この場合、画像書込装置１´の制御部１０は、電子ペーパー２から受信した媒体識別情報ＭＩＤが、自機の処理テーブルに記憶されているか否かを一旦確認し、記憶されていない場合にはじめてサーバ７に媒体識別情報ＭＩＤを送信するようにしてもよい。
（３−５）変形例５
上述の第２実施形態において、画像書込装置１´とサーバ７は、無線ではなく有線でデータの通信を行ってもよい。
【図面の簡単な説明】
【００２０】
【図１】第１実施形態に係る画像書込システムの概観図を示す図である。
【図２】画像書込装置１を開いた様子を示す図である。
【図３】画像書込装置１の構成を示すブロック図である。
【図４】処理テーブル１１０を示す図である。
【図５】電子ペーパー２の構成を示すブロック図である。
【図６】第１実施形態に係る画像書込システムの動作のフローチャートである。
【図７】第２実施形態に係る画像書込システムの概観図を示す図である。
【図８】画像書込装置１´の構成を示すブロック図である。
【図９】サーバ７の構成を示すブロック図である。
【図１０】第２実施形態に係る画像書込システムの動作のフローチャートである。
【符号の説明】
【００２１】
１、１´…画像書込装置、２…電子ペーパー、３…タッチペン、４…ヒンジ、５…上部本体、６…下部本体、７…サーバ、１０、２０、７０…制御部、１１、２１、７１…記憶部、１２…タッチパネル、１３…信号伝送層、１４…電力伝送層、１５、２５、７３…バス、１６、７２…無線通信部、２２…表示部、２３…信号受信層、２４…電力受信層、１１０、７１０…処理テーブル、１３０…送信コイル、１４０…給電コイル、２３０…受信コイル、２４０…受電コイル、ＭＩＤ…媒体識別情報。
【図１】
0004941277.tif 000002
【図２】
0004941277.tif 000003
【図３】
0004941277.tif 000004
【図４】
0004941277.tif 000005
【図５】
0004941277.tif 000006
【図６】
0004941277.tif 000007
【図７】
0004941277.tif 000008
【図８】
0004941277.tif 000009
【図９】
0004941277.tif 000010
【図１０】
0004941277.tif 000011